(57)【特許請求の範囲】
【請求項１】
対撚ピッチの異なる４対の対撚線を十字型介在で仕切りシースで覆った一の４対ケーブルを複数本と、前記４対ケーブルと対撚ピッチの異なる４対の対撚線を十字型介在で仕切りシースで覆った他の４対ケーブルを複数本とを、前記シースにナンバリングした上で介在の周りに交互に配置し、押さえ巻きで束ねて被覆を施したユニットにおいて、一の４対ケーブルと隣接する他の４対ケーブルの十字型介在の厚さを変え４対ケーブル内及び４対ケーブル間の漏話特性を改善すると共に、一の４対ケーブルと他の４対ケーブルを識別しやすくするために十字型介在の色を変えたことを特徴とするＬＡＮ用ケーブルユニット。
【請求項２】
対撚ピッチの異なる４対の対撚線を十字型介在で仕切りシースで覆った一の４対ケーブルを複数本と、前記４対ケーブルと対撚ピッチの異なる４対の対撚線を十字型介在で仕切りシースで覆った他の４対ケーブルを複数本とを、交互に配置してブリッジ又は熱融着により並行に繋げたユニットにおいて、一の４対ケーブルと隣接する他の４対ケーブルの十字型介在の厚さを変え４対ケーブル内及び４対ケーブル間の漏話特性を改善すると共に、一の４対ケーブルと他の４対ケーブルを識別しやすくするために十字型介在の色を変えたことを特徴とするＬＡＮ用ケーブルユニット。
【請求項３】
十字型介在を発泡させ、４対ケーブル内及び４対ケーブル間の漏話特性を改善することを特徴とする請求項１又は２に記載のＬＡＮ用ケーブルユニット。
【発明の詳細な説明】
【技術分野】
【０００１】
本発明は、ケーブル製造時に複数の４対ケーブルを束ねたり並列に配置する際や、ケーブル使用時に４対ケーブルを接続する際において、各４対ケーブルを識別しやすいＬＡＮ用ケーブルユニットに関するものである。
【背景技術】
【０００２】
カテゴリー６の４対ＬＡＮ用ケーブルは、高速伝送用であることから、より厳しい漏話特性を有しており、例えば、対撚線間の漏話を抑制するために、４対の中心に十字型介在を設け、各対撚線を隔離しているのが一般的である。
【０００３】
また、各対撚線の対撚ピッチを変え、さらに複数の４対ＬＡＮ用ケーブルをまとめたユニットにした場合には、隣接する４対ＬＡＮ用ケーブル同士の対撚ピッチも変えることで、漏話を抑制している。
【０００４】
尚、ＬＡＮ用ケーブルユニットにおいては、４対ＬＡＮ用ケーブル端末の加工や接続の際に、４対ケーブルを識別できるように、シースの色を変えたり、シースに間欠的にナンバリングを施したりする。
【０００５】
特許文献１に記載されているように、集合ユニットの中心に配置する介在を利用して、シースや粗巻テープの有無に関わらず、各集合ユニット間での対撚線の識別を可能にするとともに、集合ユニット製造時の印刷工程や困難な粗巻テープの頻繁な交換作業を省略できるようにした多対通信ケーブルの発明も公開されている。
【特許文献１】特開２００１−３３８５３５号公報
【０００６】
図５は、従来のシールド付き４対ＬＡＮ用ケーブルの断面図である。シールド付き４対ＬＡＮ用ケーブル１２は、銅製の導体１２ｈをポリエチレン製の絶縁体１２ｉで被覆した単線１２ｇを撚り合わせた対撚線１２ｆを４対、各対撚ピッチを異ならせて十字型介在１２ｅで仕切り、ポリエチレン等の内部シース１２ｄ又はプラスチックテープ等で覆って、接地線１２ｃを螺旋状に巻いた上に、アルミ箔付きプラスチックテープをシールド材１２ｂとして巻き付け、ポリ塩化ビニル等の外部シース１２ａで覆ったケーブルである。
【０００７】
シールド材はケーブル内からケーブル外へ放出されるノイズやケーブル外からケーブル内へ侵入するノイズを防止するために用いられるが、シールドで覆うことにより、ケーブル内の静電容量が増大し、その結果、減衰量も増大するという障害も発生する。その対策として、導体径を太くしたり、対撚ピッチを長くするといった手段があるが、導体径を太くするとモジュラプラグ等へ接続できなくなったり、対撚ピッチを長くすると近端漏話減衰量など漏話が増大したりする等の懸念がある。
【０００８】
静電容量は導体間で発生する特性なので、導体同士が離れると静電容量は小さくなることから、十字型介在の厚さを厚くし、対撚線間の間隔を広げたり、十字型介在を発泡させることで、静電容量が小さくなり、減衰量も抑制できる。また、減衰量を抑制した分、細かい対撚ピッチで対撚りすることも可能になる。更に、これらは、対撚線間の漏話が減少することにも繋がる。
【０００９】
これにより、非シールド４対ケーブルでも対撚線間の漏話特性を向上させることができるが、同一の非シールド４対ケーブルを隣接させると、４対ケーブル間に発生する漏話が増大するので、両４対ケーブルの各対撚ピッチを変えることで対応するのが一般的である。
【００１０】
即ち、一の４対ケーブルに他の４対ケーブルを隣接させる場合は、それぞれの対撚ピッチにある程度の差を設けた８種類の対撚ピッチを設定しなければならない。尚、対撚ピッチの組合せが悪いと漏話が増大するので、対撚ピッチの組合せも考慮する必要がある。
【００１１】
尚、４対ケーブル間にある程度の距離があれば、両ケーブル間に発生する漏話は極小となる。例えば、４対ケーブルを３本並べた場合、左端と右端の４対ケーブル間の漏話は極小となるので、中央の４対ケーブルの各対撚ピッチと隣接する４対ケーブルの各対撚ピッチを変えれば良く、左端と右端の４対ケーブルは同じ対撚ピッチで問題はない。
【００１２】
即ち、３本以上の場合でも、対撚ピッチの異なる２種類の４対ケーブルを交互に用いれば良い。但し、３本のケーブルが三角形状に隣接する場合は、全ての対撚ピッチを変える必要がある。
【００１３】
一の４対ケーブルの各対撚ピッチと隣接する４対ケーブルの各対撚ピッチの長さと組合せが異なることや製造時のバラツキ等により、漏話特性が同一のケーブルとすることは困難であるため、漏話特性の低い方は、十字型介在の厚さを厚くするなどしても改善することができる。
【００１４】
複数の４対ケーブルを撚り合わせてＬＡＮ用ケーブルユニットにする場合は、ケーブル間の漏話を低減するため、対撚ピッチ等が同一の４対ケーブルを隣接しないようにする必要があり、それらを容易に識別することが作業効率の向上に繋がる。その方法として、４対ケーブルのシースにナンバリングを施したり、シースの色を変えたりすること等がある。また、それらは、ＬＡＮ用ケーブルユニットを使用する際においても、４対ケーブルの識別に利用できる。
【発明の開示】
【発明が解決しようとする課題】
【００１５】
しかしながら、シース上にナンバリングを施した４対ケーブルを複数本撚り合わせる場合、４対ケーブルのシースに施したナンバリングは間欠かつ１面のみなので、ナンバリングを探しにくい。更に、全ての４対ケーブルのナンバリングの位置を合わせて撚り合わせることも困難なので、ケーブル使用時においても被覆を大きく裂かないと確認できない。
【００１６】
また、シースが施されていない複数の４対ケーブルを撚り合わせたり、並列に配置して同時にシースを被覆しメガネ型にする場合などは、対撚ピッチ長を実測する等して、４対ケーブルの相違を確認しなければならず、手間が掛かる。
【００１７】
そこで、本発明は、ケーブル製造時において、対撚ピッチ及び十字型介在の厚さ等の構造が異なる複数の４対ケーブルを撚り合わせたり並列に配置する際、十字型介在の色を変えることにより、各４対ケーブルを識別しやすい４対ケーブルを提供することを目的とするものである。
【００１８】
更に、それらの４対ケーブルをユニット化したり、並列配列したＬＡＮ用ケーブルユニットの使用時において、十字型介在の色が４対ケーブル交互に異なっているので、識別しやすいＬＡＮ用ケーブルユニットを提供することを目的とするものである。
【課題を解決するための手段】
【００１９】
本発明は、上記の課題を解決するために、対撚ピッチの異なる４対の対撚線８、８ａ、８ｂ、８ｃを十字型介在７で仕切りシース６で覆った一の４対ケーブル５、５ｂ、５ｄを複数本と、前記４対ケーブル５、５ｂ、５ｄと対撚ピッチの異なる４対の対撚線８ｄ、８ｅ、８ｆ、８ｇを十字型介在７ａで仕切りシース６で覆った他の４対ケーブル５ａ、５ｃ、５ｅを複数本とを、前記シース６にナンバリングした上で介在４の周りに交互に配置し、押さえ巻き３で束ねて被覆２を施したユニット１において、一の４対ケーブル５、５ｂ、５ｄと隣接する他の４対ケーブル５ａ、５ｃ、５ｅの十字型介在７、７ａの厚さを変え、４対ケーブル内及び４対ケーブル間の漏話特性を改善すると共に、一の４対ケーブル５、５ｂ、５ｄと他の４対ケーブル５ａ、５ｃ、５ｅを識別しやすくするために十字型介在７、７ａの色を変えたことを特徴とするＬＡＮ用ケーブルユニットの構成とした。
【発明の効果】
【００２０】
本発明は、ＬＡＮ用ケーブルユニットを構成する４対ケーブル内の十字型介在の厚さと色を変え、隣接する４対ケーブルと異なっていることを把握できるようにすることで、順次ケーブルを識別することが可能となる。
【００２１】
また、十字型介在を発泡させ、空気層を設けて誘電率を下げることにより、４対ケーブル内及び４対ケーブル間の漏話特性を改善することができ、ケーブルの外径も細くすることが可能となる。
【発明を実施するための最良の形態】
【００２２】
本発明は、ケーブル製造時に複数の４対ケーブルを撚り合わせたり並列に配置する際や、ケーブル使用時に４対ケーブルを接続する際において、各４対ケーブルを識別しやすくするという目的を、対撚ピッチの異なる４対の対撚線を十字型介在で仕切りシースで覆った一の４対ケーブルを複数本と、前記４対ケーブルと対撚ピッチの異なる４対の対撚線を十字型介在で仕切りシースで覆った他の４対ケーブルを複数本とを、前記シースにナンバリングした上で介在の周りに交互に配置し、押さえ巻きで束ねて被覆を施したユニットにおいて、一の４対ケーブルと隣接する他の４対ケーブルの十字型介在の厚さを変え４対ケーブル内及び４対ケーブル間の漏話特性を改善すると共に、一の４対ケーブルと他の４対ケーブルを識別しやすくするために十字型介在の色を変えることで実現した。
【実施例１】
【００２３】
以下に、添付図面に基づいて、本発明であるＬＡＮ用ケーブルユニットについて詳細に説明する。図１は、本発明であるＬＡＮ用ケーブルユニットの断面図である。図２は、本発明であるＬＡＮ用ケーブルユニット内の４対ケーブルの断面図である。図３は、本発明であるＬＡＮ用ケーブルユニットをフラット型にした場合の断面図である。
【００２４】
本発明は、図１に示すような非シールドタイプのＬＡＮ用ケーブルを複数本丸型に束ねたＬＡＮ用ケーブルユニットや、図３に示すようなＬＡＮ用ケーブルを複数本並列に繋げたものに対応することができる。
【００２５】
ＬＡＮ用ケーブルユニットは、対撚ピッチの異なる４対の対撚線８、８ａ、８ｂ、８ｃを十字型介在７で仕切りシース６で覆った一の４対ケーブル５、５ｂ、５ｄを複数本と、前記４対ケーブル５、５ｂ、５ｄと対撚ピッチの異なる４対の対撚線８ｄ、８ｅ、８ｆ、８ｇを十字型介在７ａで仕切りシース６で覆った他の４対ケーブル５ａ、５ｃ、５ｅを複数本とを、前記シース６にナンバリングした上で介在４の周りに交互に配置し、押さえ巻き３で束ねて被覆２を施したユニット１において、一の４対ケーブル５、５ｂ、５ｄと隣接する他の４対ケーブル５ａ、５ｃ、５ｅの十字型介在７、７ａの厚さを変え、４対ケーブル内及び４対ケーブル間の漏話特性を改善すると共に、一の４対ケーブル５、５ｂ、５ｄと他の４対ケーブル５ａ、５ｃ、５ｅを識別しやすくするために十字型介在７、７ａの色を変えたことを特徴とする。
【００２６】
図１に示すように、ユニット１は、中心に円形状の介在４を配置し、介在４の周りに６本の４対ケーブル５、５ａ、５ｂ、５ｃ、５ｄ、５ｅを配置する。尚、４対ケーブルの本数は変更することができ、また、４対ケーブル以外のケーブルを配置したり、種類の異なるケーブルを組み合わせて配置することも可能である。
【００２７】
尚、介在４は、４対ケーブル５、５ａ、５ｂ、５ｃ、５ｄ、５ｅの位置関係や対向するケーブル間の距離を確保し漏話特性を維持するために設けるもので、樹脂製の部材を配置したり、紐状の部材を充填させたりする。
【００２８】
また、４対ケーブル５、５ａ、５ｂ、５ｃ、５ｄ、５ｅには、各ケーブルを識別するためにナンバリングを施す。各ケーブルに間欠的に数字を印字することにより、ケーブルの加工や配線を正確に行うことができる。
【００２９】
偶数本の４対ケーブル５、５ａ、５ｂ、５ｃ、５ｄ、５ｅを押さえ巻き３で押さえた上で、被覆２で覆う。尚、押さえ巻き３は薄いテープを巻いたものであり、被覆２は樹脂を筒状に成形したものである。
【００３０】
図２に示すように、奇数番目の４対ケーブル５、５ｂ、５ｄは、４対の対撚線８、８ａ、８ｂ、８ｃを十字型介在７で仕切り、シース６で覆ったものである。尚、各対撚線８、８ａ、８ｂ、８ｃの対撚ピッチは異なるようにする。
【００３１】
また、偶数番目の４対ケーブル５ａ、５ｃ、５ｅは、４対の対撚線８ｄ、８ｅ、８ｆ、８ｇを十字型介在７ａで仕切り、シース６で覆ったものである。尚、各対撚線８、８ａ、８ｂ、８ｃの対撚ピッチは異なり、さらに対撚線８、８ａ、８ｂ、８ｃとも異なるようにする。
【００３２】
対撚線８〜８ｇは、単線９と単線９ａの２本を撚ったものである。単線９は、導体１０を、緑、橙、青、茶等で着色した絶縁体１１で覆った電線であり、単線９ａは、導体１０を、白色の下地に緑、橙、青、茶等のラインを入れた絶縁体１１で覆った電線である。
【００３３】
十字型介在７、７ａは、対撚線８、８ａ、８ｂ、８ｃの位置関係や対撚線間の距離を確保し、漏話特性を維持するために設けるもので、樹脂を断面が十字型になるように成形した部材を配置する。尚、無色透明のものや赤色など着色したものを用いることができる。
【００３４】
また、隣接する４対ケーブル間の漏話を抑制するため、４対ケーブル５（５ｂ、５ｄ）の対撚線８〜８ｃの対撚ピッチと４対ケーブル５ａ（５ｃ、５ｅ）の対撚線８ｄ〜８ｇの対撚ピッチを全て変え、同一の４対ケーブル５、５ｂ、５ｄを隣接させず、対撚ピッチが異なる４対ケーブル５ａ、５ｃ、５ｅを間に挟んで交互に配置する。
【００３５】
例えば、対撚ピッチを９〜１６ｍｍの間で選定する必要がある場合に、４対ケーブル５の対撚線８は９ｍｍ、対撚線８ａは１３ｍｍ、対撚線８ｂは１１ｍｍ、対撚線８ｃは１５ｍｍの対撚ピッチとし、４対ケーブル５ａの対撚線８ｄは１０ｍｍ、対撚線８ｅは１４ｍｍ、対撚線８ｆは１２ｍｍ、対撚線８ｇは１６ｍｍの対撚ピッチとしたとする。
【００３６】
また、ＬＡＮ用ケーブルは、４対全て又は２対単位でデータを伝送するので、各対の対撚ピッチを大きく変えると正規のデータを伝送できないし、各対撚ピッチの組合せによっても漏話が増減するので、各対撚ピッチの設定は重要である。
【００３７】
この場合、４対ケーブル５より４対ケーブル５ａの方が全体的の対撚ピッチが長いので、漏話特性面では不利であることから、４対ケーブル５の十字型介在７よりも４対ケーブル５ａの十字型介在７ａの厚さを変え、漏話特性の向上を図ることができる。
【００３８】
尚、４対ケーブル５ａの最小対撚ピッチを９ｍｍより細かくし、それに伴い他の３対の対撚ピッチも細かくしても、漏話特性の向上を図ることができるが、最小対撚ピッチにおいて、減衰量が増大してしまう。
【００３９】
そこで、十字型介在７ａの厚さを厚くすることで、９ｍｍ以下の対撚ピッチを用いても減衰量の増大を抑え、かつ、漏話特性を改善することも可能である。例えば、４対ケーブル５の十字型介在７の厚さが０．４ｍｍの場合に、４対ケーブル５ａの十字型介在７ａの厚さを０．５ｍｍにして、９ｍｍより細かい対撚ピッチとする。
【００４０】
十字型介在７、７ａの厚さを厚くすると対撚線８、８ａ間の静電容量を小さくでき、細かい対撚ピッチを使用することが可能となる。ただし、厚くしすぎると４対ケーブル５、５ａの外径が太くなり、曲げにくくなる。
【００４１】
十字型介在７、７ａの厚さは、漏話特性を悪化させる原因に応じて調整するが、０．１〜１ｍｍの範囲にすることが望ましい。尚、十字型介在７、７ａの厚さが異なっていれば、各ケーブルを識別することができるが、更に色を変えれば厚さを測らなくても識別することが可能となる。
【００４２】
例えば、４対ケーブル５、５ｂ、５ｄ内の十字型介在７の色を無色透明とし、隣接する４対ケーブル５ａ、５ｃ、５ｅ内の十字型介在７ａの色を赤色にする等して、２種類の各ケーブルを視認可能にする。
【００４３】
また、ユニット化した場合には、４対ケーブル５〜５ｅのシース６に数字が印字されるが、シース６へのナンバリングだけであると、印字位置を合わせて束ねることが困難であることやナンバリングが間欠かつ１面であることから、全てのケーブルの番号を確認するのに、被覆２を長く引き裂かなければならない場合もある。
【００４４】
１本のケーブルの番号が確認できれば、十字型介在７、７ａの色又は厚さから隣接するケーブルを把握することができ、さらに順次確認していくことで全てのケーブルを識別することが可能となる。
【００４５】
十字型介在７、７ａの色が異なれば、製造者がケーブルを製造する際にも識別しやすいものとなるし、使用者がケーブルを敷設等する際に識別しやすくなる。
【００４６】
図３に示すように、複数の４対ケーブル５と４対ケーブル５ａを交互に、ブリッジ６ａ又は熱融着により並列に繋げてフラットな形状にした場合も、丸型の場合と同様である。
【００４７】
その他、単線を４本撚ったカッド撚線に対応することも可能であるし、また、対撚線の本数を変え、それに伴い、介在の形状も十字型以外のものに変えたケーブルに対応することも可能である。
【実施例２】
【００４８】
図４は、本発明であるＬＡＮ用ケーブルユニットに発泡十字介在を用いた場合の断面図である。十字型介在７ｂを発泡させ、４対ケーブル内及び４対ケーブル間の漏話特性を改善する。
【００４９】
４対ケーブル５の十字型介在７は、誘電率が比較的低く安定していることから、一般的にポリエチレンを用いる。尚、誘電率が大きいと静電容量が大きくなり、減衰量も大きくなることから、通信ケーブルにおいては、誘電率が低く安定しているものが好ましい。
【００５０】
また、空気の誘電率は１であることから、ポリエチレン中に空気層を生成させた十字介在７ｂを用いることで、誘電率を下げることが可能となる。尚、空気層はポリエチレンに発泡剤を混入する等して多数の孔を空ける。
【００５１】
これにより、十字型介在７ｂの厚さを薄くし、４対ケーブル間を狭くしても、漏話特性を維持することができ、４対ケーブル５の外径を細くすることができる。尚、その他の絶縁体を発泡することで同様の効果を得ることも可能である。
【図面の簡単な説明】
【００５２】
【図１】本発明であるＬＡＮ用ケーブルユニットの断面図である。
【図２】本発明であるＬＡＮ用ケーブルユニット内の４対ケーブルの断面図である。
【図３】本発明であるＬＡＮ用ケーブルユニットをフラット型にした場合の断面図である。
【図４】本発明であるＬＡＮ用ケーブルユニットに発泡十字介在を用いた場合の断面図である。
【図５】従来のシールド付き４対ＬＡＮ用ケーブルの断面図である。
【符号の説明】
【００５３】
１        ユニット
２        被覆
３        押さえ巻き
４        介在
５        ４対ケーブル
５ａ      ４対ケーブル
５ｂ      ４対ケーブル
５ｃ      ４対ケーブル
５ｄ      ４対ケーブル
５ｅ      ４対ケーブル
６        シース
６ａ      ブリッジ
７        十字型介在
７ａ      十字型介在
７ｂ      十字型介在
８        対撚線
８ａ      対撚線
８ｂ      対撚線
８ｃ      対撚線
８ｄ      対撚線
８ｅ      対撚線
８ｆ      対撚線
８ｇ      対撚線
９        単線
９ａ      単線
１０        導体
１１        絶縁体
１２        ＬＡＮ用ケーブル
１２ａ      外部シース
１２ｂ      シールド材
１２ｃ      接地線
１２ｄ      内部シース
１２ｅ      十字型介在
１２ｆ      対撚線
１２ｇ      単線
１２ｈ      導体
１２ｉ      絶縁体
【図１】
0004665998.tif 000002
【図２】
0004665998.tif 000003
【図３】
0004665998.tif 000004
【図４】
0004665998.tif 000005
【図５】
0004665998.tif 000006